(57)【要約】【課題】対象部位に刺激を与えにくいバリカン、そのヘッドユニット、および、その可動刃を提供する。【解決手段】バリカンの可動刃４０は、複数の単位刃４１を有し、刃先角が互いに異なる先端領域５０、中間領域６０、および、根本領域７０が単位刃４１の長手方向に並んで形成されている。先端領域５０は、単位刃４１のうちの先端側に形成され、中間領域６０および根本領域７０と比較して対象部位に刺激を与えにくい刃先角を有する。根本領域７０は、単位刃４１のうちの根本側に形成され、先端領域５０および中間領域６０と比較して毛の切断抵抗が小さい刃先角を有する。中間領域６０は、単位刃４１のうちの先端領域５０と根本領域７０との間に形成され、先端領域５０から根本領域７０にかけて刃先角を滑らかに変化させるように刃先角が設定されている。【選択図】図４
2015192833.tif 000002
【特許請求の範囲】
【請求項１】
複数の単位刃を有する可動刃を有し、
刃先角が互いに異なる先端領域、中間領域、および、根本領域が前記単位刃の長手方向に並んで形成され、
前記先端領域は、前記単位刃のうちの先端側に形成され、前記中間領域および前記根本領域と比較して対象部位に刺激を与えにくい刃先角を有し、
前記根本領域は、前記単位刃のうちの根本側に形成され、前記先端領域および前記中間領域と比較して毛の切断抵抗が小さい刃先角を有し、
前記中間領域は、前記単位刃のうちの前記先端領域と前記根本領域との間に形成され、前記先端領域から前記根本領域にかけて刃先角を滑らかに変化させるように刃先角が設定されている
バリカンの可動刃。
【請求項２】
前記先端領域の全体の刃先角が前記中間領域の刃先角および前記根本領域の刃先角よりも大きい
請求項１に記載のバリカンの可動刃。
【請求項３】
前記中間領域の刃幅が、前記先端領域側から前記中間領域のうちの中間部分に向けて次第に狭くなり、前記中間部分から前記根本領域側に向けて次第に広くなる
請求項１または２に記載のバリカンの可動刃。
【請求項４】
前記中間領域に形成されるすくい面が曲面である
請求項１〜３のいずれか一項に記載のバリカンの可動刃。
【請求項５】
前記単位刃の長手方向における前記根本領域の長さが前記単位刃の全長の半分以上である
請求項１〜４のいずれか一項に記載のバリカンの可動刃。
【請求項６】
請求項１〜５のいずれか一項に記載のバリカンの可動刃と、
複数の単位刃を有する固定刃と
を有するバリカンのヘッドユニット。
【請求項７】
前記先端領域における前記固定刃との対向面が前記固定刃に対して逃げている
請求項６に記載のバリカンのヘッドユニット。
【請求項８】
請求項６または７に記載のヘッドユニットを有するバリカン。
【発明の詳細な説明】
【技術分野】
【０００１】
本発明は、バリカン、そのヘッドユニット、および、その可動刃に関する。
【背景技術】
【０００２】
バリカンの使用形態は、例えば、アタッチメントを本体に取り付けて刈り高さを調整する使用形態、および、アタッチメントを使用することなく毛を短くカットする使用形態に分類される。後者の使用形態によれば、固定刃が直接的に肌等の対象部位に充てられるため、固定刃と可動刃との間に対象部位の一部が侵入し、固定刃および可動刃がその部分に強い刺激を与えるおそれがある。このような刺激は、被カット者に不快感を与えるおそれがあるため、できる限り発生しないことが好ましい。
【０００３】
特許文献１は、上記課題を解決するためのバリカンのヘッドユニットの一例を開示している。このヘッドユニットは、幅方向に並べられた複数の単位刃を有する固定刃、および、同じく幅方向に並べられた複数の単位刃を有する可動刃を有する。可動刃の単位刃は、その刃先角が異なる第１の領域および第２の領域を有する。第１の領域は、可動刃の長手方向の根本側の部分に形成され、その刃先角が毛の切断に適した所定範囲の角度に設定されている。第２の領域は、可動刃の長手方向の先端側の部分に形成され、その刃先角が第１の領域の刃先角よりも大きく設定されている。
【０００４】
このヘッドユニットによれば、対象部位を挟み込みやすい可動刃の先端側の刃先角が大きく設定されているため、固定刃の単位刃と可動刃の単位刃との間に対象部位の一部が侵入したとしても、固定刃および可動刃がその部分に強い刺激を与えにくい。
【先行技術文献】
【特許文献】
【０００５】
【特許文献１】特開平１１−５７２４４号公報
【発明の概要】
【発明が解決しようとする課題】
【０００６】
特許文献１の可動刃によれば、製造誤差により第１の領域の長さおよび第２の領域の長さにばらつきが生じることがある。例えば、第２の領域の長さが好ましい範囲よりも短い場合には、好ましい長さと実際の第２の領域の長さとの差に応じて、第１の領域の長さが長くなる。このような可動刃の単位刃の形状は、第１の領域および第２の領域のそれぞれが持つ機能から検討した場合、次のように説明される。
【０００７】
対象部位に強い刺激を与えにくくすることに貢献する第２の領域が、可動刃の単位刃の先端側からみて、予め設計された位置よりも単位刃の先端側の位置で存在しなくなる。そして、その代わりに、毛の切断に適した第１の領域が、予め設計された位置よりも単位刃の先端に近い位置から存在しはじめる。
【０００８】
このため、第２の領域の長さが好ましい範囲よりも短い可動刃の単位刃と固定刃の単位刃との間に侵入した対象部位の量が、第１の領域の長さおよび第２の領域の長さがそれぞれ好ましい範囲に含まれていたとしたら各単位刃から強い刺激が与えられないような量であっても、第２の領域の長さが短いことに起因して各単位刃から強い刺激が与えられることがある。
【０００９】
本発明の目的は、対象部位に刺激を与えにくいバリカン、そのヘッドユニット、および、その可動刃を提供することである。
【課題を解決するための手段】
【００１０】
本バリカンの可動刃の独立した一形態によれば、複数の単位刃を有する可動刃を有し、刃先角が互いに異なる先端領域、中間領域、および、根本領域が前記単位刃の長手方向に並んで形成され、前記先端領域は、前記単位刃のうちの先端側に形成され、前記中間領域および前記根本領域と比較して対象部位に刺激を与えにくい刃先角を有し、前記根本領域は、前記単位刃のうちの根本側に形成され、前記先端領域および前記中間領域と比較して毛の切断抵抗が小さい刃先角を有し、前記中間領域は、前記単位刃のうちの前記先端領域と前記根本領域との間に形成され、前記先端領域から前記根本領域にかけて刃先角を滑らかに変化させるように刃先角が設定されている。
【発明の効果】
【００１１】
本バリカン、そのヘッドユニット、および、その可動刃によれば、対象部位に刺激を与えにくい。
【図面の簡単な説明】
【００１２】
【図１】実施形態のバリカンの分解斜視図。
【図２】実施形態のヘッドユニットの側面図。
【図３】実施形態のヘッドユニットの正面図。
【図４】実施形態の固定刃および可動刃の斜視図。
【図５】実施形態の固定刃および可動刃の正面図。
【図６】実施形態の固定刃の単位刃および可動刃の単位刃の側面図。
【図７】実施形態の可動刃の単位刃の正面図。
【図８Ａ】図７のＺ８Ａ−Ｚ８Ａ線に沿う断面図。
【図８Ｂ】図７のＺ８Ｂ−Ｚ８Ｂ線に沿う断面図。
【図８Ｃ】図７のＺ８Ｃ−Ｚ８Ｃ線に沿う断面図。
【図８Ｄ】図７のＺ８Ｄ−Ｚ８Ｄ線に沿う断面図。
【図８Ｅ】図７のＺ８Ｅ−Ｚ８Ｅ線に沿う断面図。
【図８Ｆ】図７のＺ８Ｆ−Ｚ８Ｆ線に沿う断面図。
【図８Ｇ】図７のＺ８Ｇ−Ｚ８Ｇ線に沿う断面図。
【図８Ｈ】図７のＺ８Ｈ−Ｚ８Ｈ線に沿う断面図。
【図８Ｉ】図７のＺ８Ｉ−Ｚ８Ｉ線に沿う断面図。
【図８Ｊ】図７のＺ８Ｊ−Ｚ８Ｊ線に沿う断面図。
【発明を実施するための形態】
【００１３】
（本バリカンの刃およびバリカンが取り得る形態の一例）
〔１〕本バリカンの可動刃の独立した一形態によれば、複数の単位刃を有する可動刃を有し、刃先角が互いに異なる先端領域、中間領域、および、根本領域が前記単位刃の長手方向に並んで形成され、前記先端領域は、前記単位刃のうちの先端側に形成され、前記中間領域および前記根本領域と比較して対象部位に刺激を与えにくい刃先角を有し、前記根本領域は、前記単位刃のうちの根本側に形成され、前記先端領域および前記中間領域と比較して毛の切断抵抗が小さい刃先角を有し、前記中間領域は、前記単位刃のうちの前記先端領域と前記根本領域との間に形成され、前記先端領域から前記根本領域にかけて刃先角を滑らかに変化させるように刃先角が設定されている。
【００１４】
本バリカンの可動刃によれば、先端領域の長さが好ましい範囲よりも短い場合には、根本領域と比較して先端領域に対する刃先角の変化が緩やかな中間領域が、予め設計された位置よりも単位刃の先端に近い位置から存在しはじめる。一方、この中間領域のうちの先端領域側の部分は、先端領域から滑らかに刃先角が変化するように形成されている。このため、その部分は、対象部位に強い刺激を与えにくくすることに貢献する点に関して、先端領域と実質的に同じ、または、先端領域とおおよそ同じ程度を有する。このため、先端領域の長さが好ましい範囲よりも短い場合であっても、中間領域が存在せずに先端領域および根本領域が連続して形成される構成と比較して、固定刃の単位刃および可動刃の単位刃がその間に侵入した対象部位に強い刺激を与えにくい。
【００１５】
〔２〕前記バリカンの可動刃に従属する一形態によれば、前記先端領域の全体の刃先角が前記中間領域の刃先角および前記根本領域の刃先角よりも大きい。
本バリカンの可動刃によれば、先端領域の刃先角の一部が中間領域の刃先角および根本領域の刃先角よりも小さい構成と比較して、対象部位に一層刺激を与えにくくなる。
【００１６】
〔３〕前記バリカンの可動刃に従属する一形態によれば、前記中間領域の刃幅が、前記先端領域側から前記中間領域のうちの中間部分に向けて次第に狭くなり、前記中間部分から前記根本領域側に向けて次第に広くなる。
【００１７】
本バリカンの可動刃によれば、可動刃の単位刃と毛とが接触した場合、その毛が単位刃のエッジに沿って移動することがある。その毛の移動は、可動刃の単位刃が固定刃に対して単位刃の短手方向に往復移動する関係上、単位刃の刃幅が狭くなる方向に促されやすい。このため、中間領域のうちの中間部分に毛が集まりやすくなる。また、毛は、一本一本が細いため、単独で毛を切断することが容易ではない。しかし、毛を複数本同時に切断する場合、単独で毛を切断する場合よりも毛が切断されやすいことが確認されている。これは、中間領域のうちの中間部分に集まった毛が切断されやすくなることを示唆している。このため、本バリカンの可動刃によれば、毛が切断されやすくなる。
【００１８】
〔４〕前記バリカンの可動刃に従属する一形態によれば、前記中間領域に形成されるすくい面が曲面である。
単位刃の刃先角は、単位刃に形成されるすくい面の形状により変化する。例えば、すくい面の形状が傾斜面である場合、刃先角を変化させにくい。すなわち、中間領域に形成されるすくい面の形状が傾斜面である場合、中間領域の刃先角を先端領域から根本領域にかけて滑らかに変化させるような形状が製造しにくくなる。
【００１９】
本バリカンの可動刃によれば、中間領域に形成されるすくい面の形状が曲面であるため、中間領域の刃先角を変化させやすい。このため、中間領域に形成されるすくい面の形状が傾斜面である場合と比較して、中間領域の刃先角を先端領域から根本領域にかけて滑らかに変化させるような形状が製造しやすくなる。
【００２０】
〔５〕前記バリカンの可動刃に従属する一形態によれば、前記単位刃の長手方向における前記根本領域の長さが前記単位刃の全長の半分以上である。
本願発明者によれば、単位刃の長手方向における根本領域の長さが単位刃の全長の半分以上である場合、毛を切断する能力に有意な効果が得られることが確認されている。このため、本バリカンの可動刃によれば、毛を切断する能力の向上に貢献する。
【００２１】
〔６〕本バリカンのヘッドユニットの独立した一形態によれば、前記〔１〕〜〔５〕のいずれかに記載のバリカンの可動刃と、複数の単位刃を有する固定刃とを有する。
本バリカンのヘッドユニットによれば、前記バリカンの可動刃により得られる効果と同様の効果が得られる。
【００２２】
〔７〕前記バリカンのヘッドユニットに従属する一形態によれば、前記先端領域における前記固定刃との対向面が前記固定刃に対して逃げている。
本バリカンのヘッドユニットによれば、先端領域が固定刃の単位刃と接触しない。このため、固定刃の単位刃と可動刃の単位刃との間に対象部位の一部が侵入したとしても、その部分が挟み込まれにくい。このため、固定刃および可動刃がその部分に強い刺激を与えにくい。また、対象部位の一部が先端領域と接触したとき、先端領域が対象部位を押し戻すように作用する。このため、対象部位の一部が固定刃の単位刃と可動刃の単位刃との間にこれ以上侵入しにくい。このため、本バリカンのヘッドユニットによれば、対象部位にさらに刺激を与えにくくなる。
【００２３】
〔８〕本バリカンの独立した一形態によれば、前記〔６〕および〔７〕のいずれかに記載のバリカンのヘッドユニットを備える。
本バリカンによれば、前記バリカンのヘッドユニットにより得られる効果と同様の効果が得られる。
【００２４】
（実施の形態）
図１を参照して、バリカン１の構成について説明する。
バリカン１は、カット者が把持する本体１０、および、本体１０に装着されるヘッドユニット２０を有する。本体１０は、バリカン１を駆動させる駆動ユニット（図示略）、および、駆動ユニットに電力を供給する電源部（図示略）を内部に有する。
【００２５】
図２および図３を参照して、ヘッドユニット２０の構成について説明する。
ヘッドユニット２０は、ヘッドユニット２０の先端に固定されている固定刃３０、固定刃３０に対して往復運動を形成する可動刃４０、固定刃３０を支持する固定フレーム２１、および、可動刃４０を支持する保持フレーム２２を有する。ヘッドユニット２０は、可動刃４０と固定刃３０とを互いに接触させるばね２５をさらに有する。
【００２６】
図２に示すように、固定フレーム２１は、固定刃３０に対して可動刃４０が配置されている側とは反対側から固定刃３０を支持し、固定フレーム２１に対して固定刃３０の位置がずれないように固定刃３０を保持する。保持フレーム２２は、可動刃４０に対して固定刃３０が配置されている側とは反対側から可動刃４０を保持し、保持フレーム２２に対して可動刃４０の位置がずれないように可動刃４０を保持する。
【００２７】
図３に示すように、保持フレーム２２は、可動刃４０に押し当てられるプレート２３、および、プレート２３に取り付けられている取付部２４を含む。取付部２４は、ヘッドユニット２０が本体１０（図１参照）に装着されたとき、駆動ユニットの一部と接続され、ヘッドユニット２０の幅方向の成分のみが伝達される。このため、保持フレーム２２は、ヘッドユニット２０の幅方向に沿って往復移動を形成する。
【００２８】
ばね２５は、固定フレーム２１に取り付けられている。ばね２５は、可動刃４０およびプレート２３を固定刃３０側に押す役割を持つ。ばね２５は、一例として、２つのトーションスプリングが互いに連結された構造を有する。
【００２９】
固定刃３０は、複数の単位刃３１を有する。複数の単位刃３１は、ヘッドユニット２０の幅方向に沿って等間隔に並べられ、単位刃３１と単位刃３１との間にスリット３２を形成している。固定刃３０は、固定フレーム２１に固定されている。
【００３０】
可動刃４０は、板状の基盤４３、および、基盤４３から伸びるように形成されている複数の単位刃４１を有する。複数の単位刃４１は、固定刃３０の単位刃３１と同じ方向に等間隔に並べられ、単位刃４１と単位刃４１との間にスリット４２を形成している。基盤４３は、ばね２５により固定刃３０側に押される。このため、可動刃４０は、保持フレーム２２の往復移動とともに、固定刃３０の単位刃３１と摺動するようにヘッドユニット２０の幅方向に沿って往復移動を形成する。
【００３１】
図４および図５を参照して、固定刃３０の単位刃３１の構成について説明する。
固定刃３０の単位刃３１は、単位刃３１の短手方向の中心線に対して線対称の関係である。単位刃３１は、スリット３２に流れ込む毛を支持する側面３３、単位刃３１の長手方向の先端の面である先端面３４、および、可動刃４０の単位刃４１と摺動する可動刃４０との対向面である摺動面３５を含む。先端面３４は、丸みを帯びた形状である。図５に示すように、単位刃３１の短手方向における摺動面３５の幅である単位刃３１の刃幅は、先端面３４側に向けて次第に狭くなっている。
【００３２】
図４〜図６を参照して、可動刃４０の単位刃４１の構成について説明する。
可動刃４０の単位刃４１は、単位刃４１の短手方向の中心線に対して線対称の関係である。単位刃４１は、切断された毛を支持するすくい面４４、固定刃３０の摺動面３５と摺動する固定刃３０との対向面である摺動面４６、摺動面４６とは反対側の面である天面４７、および、単位刃４１の長手方向の先端の面である先端面４８を含む。すくい面４４は、単位刃４１の根本側の一部において、単位刃４１を補強するための補強面４５を形成している。
【００３３】
図５に示すように、固定刃３０の先端面３４のうちの最先端部、および、可動刃４０の先端面４８のうちの最先端部は、単位刃４１の長手方向において距離ＬＡが開いている。この距離ＬＡは、０〜０．７ｍｍの範囲が好ましい。また、この距離ＬＡは、０〜０．３ｍｍの範囲がさらに好ましい。この距離ＬＡの一例は、０．２ｍｍである。
【００３４】
可動刃４０のスリット４２の幅は、固定刃３０のスリット３２の幅と互いに異なっている。すなわち、可動刃４０の単位刃４１のピッチと固定刃３０の単位刃３１のピッチとが互いに異なっている。図６に示すように、可動刃４０の摺動面４６は、固定刃３０の摺動面３５に対して逃げている。
【００３５】
図４および図６を参照して、すくい面４４の構成について説明する。
すくい面４４は、一例として、第１面、第２面、第３面、および、第４面の４つの面に区画される。第１面は、単位刃４１の長手方向における先端側の面であり、天面４７側から摺動面４６側に向かって傾斜した傾斜面である。第２面は、第１面と隣り合う面であり、天面４７側から摺動面４６側に向かって傾斜した傾斜面である。第１面と第２面との境界は、境界線４９Ａが形成されている。
【００３６】
第３面は、第１面および第２面と隣り合う面であり、天面４７側から摺動面４６側に向かって湾曲した曲面である。第１面および第２面と第３面との境界は、境界線４９Ｂが形成されている。第４面は、単位刃４１の長手方向における根本側の面であって、第３面と隣り合う面であり、天面４７側から摺動面４６側に向かって傾斜した傾斜面である。第３面と第４面との境界は、境界線４９Ｃが形成されている。
【００３７】
次に、単位刃４１の構成について説明する。
可動刃４０の単位刃４１は、すくい面４４と摺動面４６とが互いに接する縁にエッジを形成している。可動刃４０の摺動面４６が固定刃３０の摺動面３５に対して摺動するとき、このエッジが毛を切断する。
【００３８】
単位刃４１は、刃先角が互いに異なる先端領域５０、中間領域６０、および、根本領域７０が単位刃４１の長手方向に並んで形成されている。先端領域５０は、単位刃４１のうちの先端側に形成されている。根本領域７０は、単位刃４１のうちの根本側に形成されている。中間領域６０は、単位刃４１のうちの先端領域５０と根本領域７０との間に形成されている。
【００３９】
先端領域５０は、中間領域６０および根本領域７０と比較して、肌等の対象部位に刺激を与えにくい刃先角を有する。先端領域５０の刃先角は、単位刃４１のすくい面４４のうちの先端領域５０と対応する部分である先端すくい面５１と、単位刃４１の摺動面４６のうちの先端領域５０と対応する部分である先端摺動面５２とのなす角である。先端領域５０の刃先角は、一例として、単位刃４１のうちのすくい面４４に形成されている境界線４９Ａよりも先端側の部分である。先端すくい面５１は、第１面の全部および第３面の一部を構成している。
【００４０】
根本領域７０は、先端領域５０および中間領域６０と比較して、毛の切断抵抗が小さい刃先角を有する。根本領域７０の刃先角は、単位刃４１のすくい面４４のうちの根本領域７０と対応する部分である根本すくい面７１と、単位刃４１の摺動面４６のうちの根本領域７０と対応する部分である根本摺動面７２とのなす角である。単位刃４１の長手方向における根本領域７０の長さは、単位刃４１の全長の半分以上である。根本領域７０の刃先角は、一例として、単位刃４１のうちのすくい面４４に形成されている境界線４９Ｃよりも根本側の部分である。根本すくい面７１は、第３面の一部および第４面の全部を構成している。
【００４１】
中間領域６０は、先端領域５０から根本領域７０にかけて刃先角を滑らかに変化させるように刃先角が設定されている。中間領域６０の刃先角は、単位刃４１のすくい面４４のうちの中間領域６０と対応する部分である中間すくい面６１と、単位刃４１の摺動面４６のうちの中間領域６０と対応する部分である中間摺動面６２とのなす角である。中間領域６０の刃先角は、先端領域５０の刃先角と根本領域７０の刃先角との間の部分であり、先端領域５０側から根本領域７０側にかけて小さくなる。中間すくい面６１は、第２面の全部および第３面の一部を構成している。
【００４２】
先端領域５０の全体の刃先角は、中間領域６０の刃先角および根本領域７０の刃先角よりも大きい。また、根本領域７０の全体の刃先角は、中間領域６０の刃先角よりも小さい。なお、先端領域５０の刃先角は、先端側の刃先角が中間領域６０側の刃先角よりも大きい。
【００４３】
図６に示すように、先端摺動面５２は、中間領域６０側から先端側に向けて固定刃３０の摺動面３５から離れるように傾斜している。このため、先端摺動面５２と摺動面３５との間に隙間Ｓが形成される。
【００４４】
図７を参照して、可動刃４０の単位刃４１の刃幅について説明する。
単位刃４１の短手方向におけるエッジの幅である単位刃４１の刃幅は、先端領域５０、中間領域６０、および、根本領域７０のそれぞれにおいて異なっている。先端領域５０の刃幅は、先端側から中間領域６０側に向けて次第に広くなっている。中間領域６０の刃幅は、先端領域５０側から中間領域６０のうちの中間部分に向けて次第に狭くなり、中間部分から根本領域７０側に向けて次第に広くなっている。根本領域７０の刃幅は、中間領域６０側から根本側に向けて次第に広くなっている。
【００４５】
図８Ａ〜図８Ｊを参照して、単位刃４１の刃先角について説明する。
図８Ａは、先端領域５０の断面図である。この部分の先端領域５０の刃先角は、一例として、７２°である。
【００４６】
図８Ｂは、先端領域５０のうちの図８Ａに示される断面図よりも中間領域６０側の断面図である。この部分の先端領域５０の刃先角は、一例として、図８Ａに示される先端領域５０の刃先角と同じ角度である。
【００４７】
図８Ｃは、先端領域５０のうちの図８Ｂに示される断面図よりも中間領域６０側の断面図である。この部分の先端領域５０の刃先角は、一例として、図８Ｂに示される先端領域５０の刃先角よりも小さい。
【００４８】
図８Ｄは、先端領域５０と中間領域６０との境界部分の断面図である。この境界部分の刃先角は、一例として、図８Ｃに示される先端領域５０の刃先角よりも小さい。
図８Ｅは、中間領域６０の断面図である。この部分の中間領域６０の刃先角は、一例として、図８Ｄに示される境界部分の刃先角よりも小さい。
【００４９】
図８Ｆは、中間領域６０のうちの図８Ｅに示される断面図よりも根本領域７０側の断面図である。この部分の中間領域６０の刃先角は、一例として、図８Ｅに示される中間領域６０の刃先角よりも小さい。
【００５０】
図８Ｇは、中間領域６０のうちの図８Ｆに示される断面図よりも根本領域７０側である中間領域６０の断面図である。この部分の中間領域６０の刃先角は、一例として、図８Ｆに示される中間領域６０の刃先角よりも小さい。
【００５１】
図８Ｈは、根本領域７０の断面図である。この部分の根本領域７０の刃先角は、一例として、図８Ｇに示される中間領域６０の刃先角よりも小さい。また、この部分の根本領域７０の刃先角は、一例として、４５°である。
【００５２】
図８Ｉは、根本領域７０のうちの図８Ｈに示される断面図よりも根本側の断面図である。この部分の根本領域７０の刃先角は、一例として、図８Ｈに示される根本領域７０の刃先角と同じ角度である。
【００５３】
図８Ｊは、根本領域７０のうちの図８Ｉに示される断面図よりも根本側の断面図である。この部分の根本領域７０の刃先角は、一例として、図８Ｉに示される根本領域７０の刃先角と同じ角度である。
【００５４】
図４を参照して、バリカン１の作用について説明する。
バリカン１（図１参照）の使用形態の一例として、アタッチメント（図示略）を本体１０（図１参照）に取り付けずに毛をカットする使用形態について説明する。カット者は、バリカン１の固定刃３０を自分または他人である被カット者の対象部位に充て、被カット者の毛を切断する。
【００５５】
この使用形態によれば、バリカン１の固定刃３０が直接的に対象部位に充てられる。このため、固定刃３０の単位刃３１と可動刃４０の単位刃４１との間に対象部位の一部が侵入し、固定刃３０および可動刃４０がその部分に強い刺激を与えるおそれがある。一方、バリカン１の可動刃４０によれば、対象部位を挟み込みやすい先端領域５０が対象部位に刺激を与えにくい刃先角を有する。このため、固定刃３０の単位刃３１と可動刃４０の単位刃４１との間に対象部位の一部が侵入したとしても、固定刃３０および可動刃４０がその部分に刺激を与えにくい。
【００５６】
さらに、このバリカン１の可動刃４０によれば、製造誤差により先端領域５０の長さにばらつきが生じた場合においても、固定刃３０の単位刃３１および可動刃４０の単位刃４１が対象部位に刺激を与えにくい。バリカン１の可動刃４０によれば、先端領域５０の長さが好ましい範囲よりも短い場合には、根本領域７０と比較して先端領域５０に対する刃先角の変化が緩やかな中間領域６０が、予め設計された位置よりも単位刃４１の先端に近い位置から存在しはじめる。一方、この中間領域６０のうちの先端領域５０側の部分は、先端領域５０から滑らかに刃先角が変化するように形成されている。このため、その部分は、対象部位に強い刺激を与えにくくすることに貢献する点に関して、先端領域５０と実質的に同じ、または、先端領域５０とおおよそ同じ程度を有する。このため、先端領域５０の長さが好ましい範囲よりも短い場合であっても、中間領域６０が存在せずに先端領域５０および根本領域７０が連続して形成される構成と比較して、固定刃３０の単位刃３１および可動刃４０の単位刃４１がその間に侵入した対象部位に強い刺激を与えにくい。
【００５７】
また、バリカン１の可動刃４０によれば、先端領域５０の長さが好ましい範囲よりも長い場合には、その分が根本領域７０の減少ではなく、中間領域６０の変化に現れる。すなわち、中間領域６０が相対的に小さくなる。このため、先端領域５０の長さが好ましい範囲よりも長い場合であっても、中間領域６０が存在せずに先端領域５０および根本領域７０が連続して形成される構成と比較して、毛を切断する能力が低下しにくい。
【００５８】
バリカン１によれば、以下の効果が得られる。
（１）バリカン１の可動刃４０によれば、先端領域５０の全体の刃先角は、中間領域６０の刃先角および根本領域７０の刃先角よりも大きい。このため、先端領域５０の刃先角の一部が中間領域６０の刃先角および根本領域７０の刃先角よりも小さい構成と比較して、対象部位に一層刺激を与えにくくなる。
【００５９】
（２）バリカン１の可動刃４０によれば、可動刃４０の単位刃４１と毛とが接触した場合、その毛が単位刃４１のエッジに沿って移動することがある。その毛の移動は、可動刃４０の単位刃４１が固定刃３０に対して単位刃４１の短手方向に往復移動する関係上、単位刃４１の刃幅が狭くなる方向に促されやすい。バリカン１の可動刃４０によれば、中間領域６０の刃幅は、先端領域５０側から中間領域６０のうちの中間部分に向けて次第に狭くなり、中間部分から根本領域７０側に向けて次第に広くなっている。このため、中間領域６０のうちの中間部分に毛が集まりやすくなる。
【００６０】
また、毛は、一本一本が細いため、単独で毛を切断することが容易ではない。しかし、毛を複数本同時に切断する場合、単独で毛を切断する場合よりも毛が切断されやすいことが確認されている。これは、中間領域６０のうちの中間部分に集まった毛が切断されやすくなることを示唆している。このため、バリカン１の可動刃４０によれば、毛が切断されやすくなる。
【００６１】
（３）可動刃４０の単位刃４１の刃先角は、単位刃に形成されるすくい面４４の形状により変化する。例えば、すくい面４４の形状が傾斜面である場合、刃先角を変化させにくい。すなわち、中間領域６０に形成される中間すくい面６１の形状が傾斜面である場合、中間領域６０の刃先角を先端領域５０から根本領域７０にかけて滑らかに変化させるような形状が製造しにくくなる。
【００６２】
バリカン１の可動刃４０によれば、中間領域６０に形成される中間すくい面６１の一部を構成している第３面の形状が曲面であるため、中間領域６０の刃先角を変化させやすい。このため、中間領域６０に形成される中間すくい面６１の形状が傾斜面である場合と比較して、中間領域６０の刃先角を先端領域５０から根本領域７０にかけて滑らかに変化させるような形状が製造しやすくなる。
【００６３】
（４）バリカン１の可動刃４０によれば、単位刃４１の長手方向における根本領域７０の長さは、単位刃４１の全長の半分以上である。本願発明者によれば、可動刃４０の単位刃４１の長手方向における根本領域７０の長さが単位刃４１の全長の半分以上である場合、毛を切断する能力に有意な効果が得られることが確認されている。このため、毛を切断する能力の向上に貢献する。
【００６４】
（５）バリカン１のヘッドユニット２０によれば、先端摺動面５２と摺動面３５との間に隙間Ｓが形成されている。このため、先端領域５０が固定刃３０の単位刃３１と接触しない。このため、固定刃３０の単位刃３１と可動刃４０の単位刃４１との間に対象部位の一部が侵入したとしても、その部分が挟み込まれにくい。このため、固定刃３０および可動刃４０がその部分に強い刺激を与えにくい。また、対象部位の一部が先端領域５０と接触したとき、先端領域５０が対象部位を押し戻すように作用する。このため、対象部位の一部が固定刃３０の単位刃３１と可動刃４０の単位刃４１との間にこれ以上侵入しにくい。このため、バリカン１のヘッドユニット２０によれば、対象部位にさらに刺激を与えにくくなる。
【００６５】
（６）バリカン１の可動刃４０によれば、可動刃４０の単位刃４１のピッチと固定刃３０の単位刃３１のピッチとが互いに異なっている。例えば、単位刃４１のピッチと単位刃３１のピッチとが同じであった場合に、それぞれの単位刃４１において毛を切断するタイミングが一致することにより、同時に多数の毛を切断する必要が生じる。この場合、電源部の一例である電気モーターの動力を大きくする必要が生じる。このため、バリカン１の可動刃４０によれば、可動刃４０の単位刃４１のピッチと固定刃３０の単位刃３１のピッチとを互いに異ならせていることにより、このような事情を生じにくくしている。
【００６６】
（変形例）
本バリカンの可動刃が取り得る具体的な形態は、上記実施形態に例示された形態に限定されない。本バリカンの可動刃は、本発明の目的が達成される範囲において、上記実施形態とは異なる各種の形態を取り得る。以下に示される上記実施形態の変形例は、本バリカンの可動刃が取り得る各種の形態の一例である。
【００６７】
・可動刃４０の単位刃４１のうちの先端摺動面５２と、固定刃３０の単位刃３１のうちの摺動面３５との間に隙間Ｓを形成するか否かは、任意の選択事項である。
・変形例の可動刃４０の単位刃４１によれば、先端領域５０のうちの中間領域６０側の一部と固定刃３０の単位刃３１とが互いに接触する。例えば、先端領域５０の先端摺動面５２は、先端領域５０のうちの中間部分から先端側に向けて固定刃３０の摺動面３５から離れるように傾斜している。
【００６８】
・変形例の可動刃４０の単位刃４１によれば、先端領域５０および中間領域６０のうちの先端領域５０側の一部と固定刃３０の単位刃３１とが接触しない。例えば、先端領域５０の先端摺動面５２、および、中間領域６０の中間摺動面６２は、中間領域６０のうちの先端領域５０側から先端領域５０のうちの先端側向けて固定刃３０の摺動面３５から離れるように傾斜している。
【００６９】
・単位刃４１の長手方向における根本領域７０の長さが単位刃４１の全長の半分以上であるか否かは、任意の選択事項である。例えば、単位刃４１のうちの先端領域５０の長さ、中間領域６０の長さ、および、根本領域７０の長さは、それぞれ同じ長さである。
【００７０】
・中間領域６０の中間すくい面６１が曲面であるか否かは、任意の選択事項である。例えば、中間領域６０に形成される中間すくい面６１が傾斜面である。
・変形例の可動刃４０の単位刃４１によれば、中間領域６０の刃幅が、先端領域５０側から根本領域７０側に向けて次第に狭くなる。この場合、中間領域６０および根本領域７０の境界部分に毛が集合しやすくなる。
【００７１】
・変形例の先端領域５０の刃先角の一部が、中間領域６０の刃先角および根本領域７０の刃先角のうちの一部よりも小さい。
・変形例の根本領域７０の刃先角の一部が、中間領域６０の刃先角のうちの一部よりも大きい。
【００７２】
・変形例の先端領域５０の刃先角の全部が、同じ角度または異なる角度を形成する。
・変形例の中間領域６０の刃先角のうちの一部が、同じ角度を形成する。
・変形例の根本領域７０の刃先角のうちの一部または全部が、異なる角度を形成する。
【００７３】
・変形例の可動刃４０の単位刃４１によれば、先端領域５０のうちの先端すくい面５１と、単位刃４１のうちの天面４７および先端面４８との境界部分が、Ｒ面取り加工を形成する。このため、その部分と対象部位の一部とが接触したとしても、対象部位の一部に刺激が与えられにくい。
【符号の説明】
【００７４】
１…バリカン
２０…ヘッドユニット
３０…固定刃
３１…単位刃
４０…可動刃
４１…単位刃
４４…すくい面
５０…先端領域
６０…中間領域
６１…中間すくい面
７０…根本領域
【図１】
2015192833.tif 000003
【図２】
2015192833.tif 000004
【図３】
2015192833.tif 000005
【図４】
2015192833.tif 000006
【図５】
2015192833.tif 000007
【図６】
2015192833.tif 000008
【図７】
2015192833.tif 000009
【図８Ａ】
2015192833.tif 000010
【図８Ｂ】
2015192833.tif 000011
【図８Ｃ】
2015192833.tif 000012
【図８Ｄ】
2015192833.tif 000013
【図８Ｅ】
2015192833.tif 000014
【図８Ｆ】
2015192833.tif 000015
【図８Ｇ】
2015192833.tif 000016
【図８Ｈ】
2015192833.tif 000017
【図８Ｉ】
2015192833.tif 000018
【図８Ｊ】
2015192833.tif 000019